(57)【要約】【課題】電子先幕シャッタを用いた場合において、高速シャッタ動作の際にもボケ像のケラれによる画質劣化を低減する。【解決手段】撮像素子は複数の光電変換素子を備える単位画素が２次元マトリックス状に配列されており、メカニカルシャッタは所定の方向に走行して撮像素子を遮光する。単位画素の各々において複数の光電変換素子は所定の方向に瞳分割されており、複数の光電変換素子における露光開始のタイミングはメカニカルシャッタの走行速度に応じて制御される。【選択図】図４
2018121196.tif 000002
【特許請求の範囲】
【請求項１】
複数の光電変換素子を備える単位画素が２次元マトリックス状に配列された撮像素子と、
所定の方向に走行して前記撮像素子を遮光するメカニカルシャッタと、
前記単位画素の露光開始を制御する露光制御手段と、を有し、
前記単位画素の各々において前記複数の光電変換素子は、前記所定の方向に瞳分割されており、
前記露光制御手段は、前記複数の光電変換素子における露光開始のタイミングを前記メカニカルシャッタの走行速度に応じて制御することを特徴とする撮像装置。
【請求項２】
前記露光制御手段は、前記メカニカルシャッタの走行速度で規定される時間差をおいて前記複数の光電変換素子の露光を開始することを特徴とする請求項１に記載の撮像装置。
【請求項３】
前記露光制御手段は、撮影レンズの瞳と絞り値とに応じて規定されるシャッタ面瞳の一端から瞳分割面までの長さおよび前記メカニカルシャッタの走行速度に基づいて前記時間差を決定することを特徴とする請求項２に記載の撮像装置。
【請求項４】
前記露光制御手段は、前記撮像素子の行毎に前記時間差を決定することを特徴とする請求項３に記載の撮像装置。
【請求項５】
前記露光制御手段は、前記複数の光電変換素子における露光時間が等しくなるように前記時間差を決定することを特徴とする請求項２に記載の撮像装置。
【請求項６】
前記露光制御手段は、前記複数の光電変換素子における露光量が等しくなるように前記時間差を決定することを特徴とする請求項２に記載の撮像装置。
【請求項７】
前記露光制御手段は、前記メカニカルシャッタの走行速度に加えて、シャッタ速度、および絞り値を考慮して前記時間差を決定することを特徴とする請求項２に記載の撮像装置。
【請求項８】
前記露光制御手段は、シャッタ秒時が所定の時間以上であると前記時間差をゼロとすることを特徴とする請求項７に記載の撮像装置。
【請求項９】
前記露光制御手段は、前記メカニカルシャッタの走行速度が所定の速度以上であると前記時間差をゼロとすることを特徴とする請求項７に記載の撮像装置。
【請求項１０】
複数の光電変換素子を備える単位画素が２次元マトリックス状に配列された撮像素子と、所定の方向に走行して前記撮像素子を遮光するメカニカルシャッタとを有する撮像装置の制御方法であって、
前記単位画素の各々において前記複数の光電変換素子は、前記所定の方向に瞳分割されており、
前記単位画素の露光開始を制御する際、前記複数の光電変換素子における露光開始のタイミングを前記メカニカルシャッタの走行速度に応じて制御する露光制御ステップを有することを特徴とする制御方法。
【請求項１１】
複数の光電変換素子を備える単位画素が２次元マトリックス状に配列された撮像素子と、所定の方向に走行して前記撮像素子を遮光するメカニカルシャッタとを有する撮像装置で用いられる制御プログラムであって、
前記単位画素の各々において前記複数の光電変換素子は、前記所定の方向に瞳分割されており、
前記撮像装置が備えるコンピュータに、
前記単位画素の露光開始を制御する際、前記複数の光電変換素子における露光開始のタイミングを前記メカニカルシャッタの走行速度に応じて制御する露光制御ステップを実行させることを特徴とする制御プログラム。
【発明の詳細な説明】
【技術分野】
【０００１】
本発明は、撮像装置、その制御方法、および制御プログラムに関し、特に、撮像素子の駆動制御に関する。
【背景技術】
【０００２】
近年、デジタルカメラなどの撮像装置においては、撮像素子としてＣＭＯＳイメージセンサが用いられる傾向にある。そして、当該撮像素子の露光制御はメカニカルシャッタによって行われている。一方、露光の際に、撮像素子の各画素に蓄積された電荷を吐き捨て（リセット）することによって露光を開始することが可能である。この場合、後幕のメカニカルシャッタに先行して行単位で順次吐き捨て動作を行う電子先幕シャッタが用いられる。
【０００３】
電子先幕シャッタを用いると、先幕のメカニカルシャッタを用いないことによる撮影の際のシャッタ音、振動低減、そして、レリーズタイムラグの短縮などのメリットがある。近年においては、小型化軽量化のため先幕のメカニカルシャッタを備えない撮像装置もある。
【０００４】
ところが、電子先幕シャッタを用いる際、絞り値を小さくして高速シャッタ動作を行うと、所謂ボケ像のケラれが生じて画質劣化を招くことがある。このボケ像のケラれはメカニカルシャッタおよび電子先幕シャッタの性質の差に起因して惹起する。
【０００５】
例えば、撮影レンズの瞳から光を取り込む１つの画素において、撮像素子の上部から下部に向かって走行するメカニカルシャッタの遮光動作を観測したとする。この場合、メカニカルシャッタは有限の速度で動作するので、撮影レンズの瞳の遮光を開始してから遮光を完了するまでに時間を要する。
【０００６】
遮光動作に要する時間は、撮影レンズの瞳が大きくなる程、つまり、絞り値が小さくなる程、また、メカニカルシャッタの幕速が遅い程、さらに、メカニカルシャッタの走行面と撮像面とが離れている程長くなる。そして、遮光動作に要する時間は、高速シャッタ動作を行う際には無視できないオーダーとなる。
【０００７】
一方で、電子先幕シャッタにおいては、露光状態において電荷吐き捨て動作を解除することによって露光が開始されて、露光動作が行われる。電子先幕シャッタの走行面は撮像面と一致しており、撮影レンズの瞳による露光動作は、メカニカルシャッタと比較して無視できる時間で行われる。
【０００８】
ここで、シャッタ速度の高速化、つまり、画素の露光時間を短縮するため、電子先幕シャッタおよび後幕のメカニカルシャッタによって形成されるスリット幅を短くしていくとする。この場合、後幕のメカニカルシャッタによる遮光動作中に、電子先幕シャッタによる露光動作が行われる状態となる。
【０００９】
上記の状態は、撮像面におけるいずれの画素においても生じる結果、言い換えれば、撮影レンズの上部側からみた電子先幕シャッタおよびメカニカルシャッタのスリット幅はゼロであることと同意となる。よって、撮影レンズの瞳面における上部はケラれ、ボケ像のうち撮影レンズの上部側を通過する光によって形成される領域は欠けてしまう。
【００１０】
このような問題に対して、例えば、シャッタ速度および絞り値に基づいてボケ像にケラれが生じるか否かを判定して、ケラれが生じる場合には先幕をメカニカルシャッタに切り替えて、上述の問題を回避するようにしたものがある（特許文献１）。
【先行技術文献】
【特許文献】
【００１１】
【特許文献１】特開２０１２−１２９５８９号
【発明の概要】
【発明が解決しようとする課題】
【００１２】
ところが、特許文献１に記載の手法においては、撮像装置は必ず先幕のメカニカルシャッタを備える必要がある。このため、先幕のメカニカルシャッタを備えない撮像装置においては、特許文献１に記載の手法を行うことができない。加えて、特許文献１に記載の手法では、絞り値が小さい場合に、高速シャッタ動作を行うと電子先幕シャッタのメリットを活かすことが困難となる。
【００１３】
そこで、本発明の目的は、電子先幕シャッタを用いた場合において、高速シャッタ動作の際にもボケ像のケラれによる画質劣化を低減することのできる撮像装置、その制御方法、および制御プログラムを提供することにある。
【課題を解決するための手段】
【００１４】
上記の目的を達成するため、本発明による撮像装置は、複数の光電変換素子を備える単位画素が２次元マトリックス状に配列された撮像素子と、所定の方向に走行して前記撮像素子を遮光するメカニカルシャッタと、前記単位画素の露光開始を制御する露光制御手段と、を有し、前記単位画素の各々において前記複数の光電変換素子は、前記所定の方向に瞳分割されており、前記露光制御手段は、前記複数の光電変換素子における露光開始のタイミングを前記メカニカルシャッタの走行速度に応じて制御することを特徴とする。
【発明の効果】
【００１５】
本発明によれば、電子先幕シャッタを用いた場合において、高速シャッタ動作の際においてもボケ像のケラれによる画質劣化を低減することができる。
【図面の簡単な説明】
【００１６】
【図１】本発明の実施の形態による撮像装置で用いられる撮像素子の画素構成についてその一例を示す図である。
【図２】本発明の実施の形態による撮像装置で用いられる撮像素子の構成についてその一例を示す図である。
【図３】図２に示す撮像素子において、メカニカルシャッタ２００による遮光と垂直走査回路による露光の一例を説明するための図である。
【図４】図２に示す撮像素子において垂直走査回路による走査駆動の一例を説明するためのタイミングチャートである。
【発明を実施するための形態】
【００１７】
以下に、本発明の実施の形態による撮像装置の一例について図面を参照して説明する。
【００１８】
図１は、本発明の実施の形態による撮像装置で用いられる撮像素子の画素構成についてその一例を示す図である。
【００１９】
撮像素子は、例えば、ＣＭＯＳイメージセンサであり、２次元マトリックス状に配列された複数の画素１を有している。画素１は、フォトダイオード（ＰＤ：光電変換素子）１１ｄおよび１１ｕ、転送スイッチ１２ｄおよび１２ｕ、フローティングディフュージョン（ＦＤ）１３、リセットスイッチ１４、行選択スイッチ１５、および増幅トランジスタ１６を備えている。
【００２０】
ＰＤ１１ｄおよび１１ｕの各々は、光電変換によって入射光量に応じた電荷を発生し、当該電荷を蓄積する。ＰＤ１１ｄおよび１１ｕに蓄積された電荷は、それぞれ転送スイッチ１２ｄおよび１２ｕのオンに応じてＦＤ１３に転送される。そして、ＦＤ１３の電荷はリセットスイッチ１４のオンに応じてリセットレベル（ＶＤＤ）となる。
【００２１】
一方、リセットスイッチ１４と同時に転送スイッチ１２ｄをオンとして、ＰＤ１１ｄに蓄積された不要電荷をリセットし、その後、転送スイッチ１２ｄをオフとしてＰＤ１１ｄの露光を開始する。同様にして、リセットスイッチ１４と同時に転送スイッチ１２ｕをオンとして、ＰＤ１１ｕに蓄積された不要電荷をリセットし、その後、転送スイッチ１２ｕをオフとしてＰＤ１１ｕの露光を開始する。
【００２２】
行選択スイッチ１５は、後述する垂直走査回路１０２の出力である選択信号φＳＥＬによって制御され、画素１を選択的に画素列毎に備えられた垂直出力線２１に接続する。そして、行選択スイッチ１５によって選択された行の増幅トランジスタ１６は、ゲートに入力された信号を増幅してその出力を垂直出力線２１に出力する。
【００２３】
ここで、転送スイッチ１２ｄおよび１２ｕ、リセットスイッチ１４、および行選択スイッチ１５は、例えば、ＭＯＳトランジスタであり、そのゲートレベルをハイ（Ｈ）レベルにすることによってオンする。
【００２４】
図２は、本発明の実施の形態による撮像装置で用いられる撮像素子の構成についてその一例を示す図である。
【００２５】
撮像素子１００は、複数の画素（以下単位画素ともいう）が２次元マトリックス状に配列された画素アレイ１０１を有している。この画像アレイ１０１において、単位画素１の各々にはマイクロレンズ（ＭＬ）１７が配置されている。さらに、撮像素子１００は、垂直走査回路１０２、列読み出し回路１０３、および読み出しアンプ１０４を備えている。垂直走査回路１０２は単位画素１を行単位で選択してその出力を制御する。
【００２６】
なお、図示の例では、単位画素１において、ＰＤ１１ｄおよび１１ｕは、マイクロレンズ１７を介してメカニカルシャッタ（図示せず）の走行方向に瞳を分割するように配列されている。また、図示の画素アレイ１０１ではｎ（ｎは１以上の整数）行目から（ｎ＋６）行目までの単位画素１が示されている。
【００２７】
垂直走査回路１０２は、画素アレイ１０１に対して行単位でリセット信号φＲＥＳ、第１の転送信号φＴＸｄ、第２の転送信号φＴＸｕ、および選択信号φＳＥＬを供給する。これによって、単位画素１の露光および垂直出力線２１に対する信号出力が制御される。
【００２８】
なお、単位画素１の露光については後述する。また、以下の説明では、「ｎ行目のリセット信号φＲＥＳ」を、添字ｎを付して「信号φＲＥＳｎ」と呼ぶ。第１の転送信号φＴＸｄ、第２の転送信号φＴＸｕ、および選択信号φＳＥＬについても同様である。
【００２９】
列読み出し回路１０３は垂直出力線２１に出力された出力信号（画素信号）を列毎に読み出す。そして、読み出された画素信号は読み出しアンプ１０４で増幅されて順次画像信号として出力される。
【００３０】
図３は、図２に示す撮像素子において、メカニカルシャッタ２００による遮光と垂直走査回路による露光の一例を説明するための図である。
【００３１】
図３においては、図２に示す画素アレイ部１０１における１つの列の単位画素１がその受光面を左側に向けて示されている。ＭＬ１７を介してＰＤ１１ｄは撮影レンズ（図示せず）の瞳下部から光を取り込み、一方、ＰＤ１１ｕは撮影レンズの瞳上部から光を取り込む。
【００３２】
ｎ行目の単位画素１に注目すると、後幕のメカニカルシャッタ２００が図中上から下に向かって動作する場合、上側に位置するＰＤ１１ｕから遮光が始まり、続いて下側に位置するＰＤ１１ｄが遮光される。ここで、後幕のメカニカルシャッタの遮光動作に同期して、ＰＤ１１ｕに対してＰＤ１１ｄの露光開始時刻を遅らせて露光を行う。
【００３３】
いま、ＰＤ１１ｕおよびＰＤ１１ｄに対する瞳の重心点をそれぞれＧｕおよびＧｄとする。そして、ＭＬ１７の中心と重心点ＧｕおよびＧｄとを結ぶ線分をそれぞれ主光線ＰｕおよびＰｄとする。
【００３４】
メカニカルシャッタ２００によるＰＤ１１ｕおよびＰＤ１１ｄの遮光時刻を、メカニカルシャッタ２００が主光線ＰｕおよびＰｄに差し掛かる時刻とする。よって、ＰＤ１１ｕおよびＰＤ１１ｄの露光時間は、垂直走査回路１０２による露光開始時刻からメカニカルシャッタ２００が主光線ＰｕおよびＰｄに差し掛かるまでの時間となる。また、単位画素１の露光時間は、ＰＤ１１ｕおよびＰＤ１１ｄにおける露光時間の平均値となる。
【００３５】
なお、ＰＤ１１ｕおよびＰＤ１１ｄに係る瞳分割が撮影レンズに対して上下非対称となる場合などの感度差がある場合には、当該感度差に応じて重み付けした平均露光時間が単位画素１の露光時間となる。
【００３６】
ここで、ＰＤ１１ｕおよびＰＤ１１ｄの露光開始の時刻差（時間差）をΔｔとして、ボケ像のケラれを発生させることなく単位画素１の露光時間を短縮する、つまり、高速シャッタ動作を行うためのｎ行目の時刻差Δｔ（ｎ）について説明する。
【００３７】
ボケ像においてケラれを発生させないためには、メカニカルシャッタ２００が撮影レンズの瞳とその絞り値とによって決定される上線Ｕ（一端）に差し掛かる時刻には単位画素１の露作を開始する必要がある。図示の例では、メカニカルシャッタ２００の動作方向に対して画素が瞳分割されているので、上線Ｕに差し掛かる時刻においてＰＤ１１ｕの露光を開始すればよい。そして、ＰＤ１１ｄについては、メカニカルシャッタ２００がＰＤ１１ｄとＰＤ１１ｕとによって形成される瞳の境界面である瞳分割面Ｄに差し掛かる時刻までに露光を開始すればよい。
【００３８】
ｎ行目の単位画素において、上線Ｕから瞳分割面Ｄまでのメカニカルシャッタ２００の動作方向長さをＬｕ（ｎ）とする。また、メカニカルシャッタ２００が平均幕速（走行速度）ｖ（ｎ）でｎ行目の単位画素１のシャッタ面瞳上を等速に走行しているとする。この場合、時刻差Δｔ（ｎ）は、Δｔ（ｎ）＝Ｌｕ（ｎ）／ｖ（ｎ）で規定される。
【００３９】
なお、動作方向長さＬｕ（ｎ）および平均幕速ｖ（ｎ）は行毎に異なるので、時刻差Δｔ（ｎ）は行毎に決定することが望ましい。
【００４０】
このように、後幕のメカニカルシャッタ２００の走行方向に瞳分割された単位画素１を用いて、ＰＤ１１ｄの露光開始時刻を時刻差Δｔ（ｎ）分タイミングを遅らせて露光時間を短縮することができる。つまり、電子先幕シャッタを用いた際に、ボケ像におけるケラれを抑制しつつ、シャッタ速度を高速化することができる。
【００４１】
なお、時刻差Δｔ（ｎ）＝Ｌｕ（ｎ）／ｖ（ｎ）は、ＰＤ１１ｕおよびＰＤ１１ｄによって理想的に瞳分割を瞳分割面Ｄで行った際の値である。このため、実際の単位画素１とＭＬ１７とによって決定される瞳分割特性、シャッタ速度、およびボケ像の画質等に応じて時刻差を調整するようにしてもよい。
【００４２】
上述の例では、ボケ像におけるケラれを抑制して高速シャッタ動作を行うことに着目したが、ＰＤ１１ｕおよびＰＤ１１ｄの露光時間が等しくなるように時刻差Δｔ（ｎ）を決定するようにしてもよい。この場合、メカニカルシャッタ２００の走行面における主光線Ｇｕから主光線Ｇｄまでのメカニカルシャッタ２００の動作方向長さをＬｇ（ｎ）とすると、時刻差Δｔ（ｎ）は、Δｔ（ｎ）＝Ｌｇ（ｎ）／ｖ（ｎ）となる。
【００４３】
さらには、ＰＤ１１ｕおよびＰＤ１１ｄの露光量が等しくなるように時刻差Δｔ（ｎ）を決定するようにしてもよい。例えば、ＰＤ１１ｕおよびＰＤ１１ｄにおける瞳分割が撮影レンズに対して上下非対称となる場合には、各ＰＤの感度と露光時間の積とによって決定される露光量が等しくなるように時刻差Δｔ（ｎ）を決定するようにしてもよい。
【００４４】
図４は、図２に示す撮像素子において垂直走査回路による走査駆動の一例を説明するための図である。図示のリセット信号φＲＥＳ＿ａｌｌは、全行のリセット信号φＲＥＳを示す。ここでは、図面の簡略化のためｎ行目の露光前にリセット信号φＲＥＳ＿ａｌｌをＨレベルとして図示しているが、リセット信号φＲＥＳは行毎の電荷蓄積前に順次Ｈレベルとされる。
【００４５】
垂直走査回路１０２による走査駆動は、後幕のメカニカルシャッタ２００の遮光動作に先行して行われる。ここで、メカニカルシャッタ２００によるｎ行目の単位画素１のＰＤ１１ｕおよびＰＤ１１ｄの遮光時刻をそれぞれＴ３（ｎ）およびＴ４（ｎ）とする。一方、ＰＤ１１ｕの露光開始時刻は、メカニカルシャッタ２００によるｎ行目の単位画素１のＰＤ１１ｕの遮光時刻Ｔ３（ｎ）から時間ｔ（ｎ）だけ早い時刻Ｔ１（ｎ）に行われる。なお、時間ｔ（ｎ）は、後述するように、単位画素１の露光時間が所望のシャッタ速度となるように設定される。
【００４６】
露光開始時刻Ｔ１（ｎ）前において、垂直走査回路１０２はリセット信号φＲＥＳ＿ａｌｌをＨレベルとするとともに、第２の転送信号φＴＸｕ（ｎ）をＨレベルとする。そして、露光開始時刻Ｔ１（ｎ）において、垂直走査回路１０２は第２の転送信号φＴＸｕ（ｎ）をＨレベルからロー（Ｌ）レベルとして、ＰＤ１１ｕの露光を開始する。この際には、リセット信号φＲＥＳ（ｎ）がＨレベルとされる。
【００４７】
一方、露光開始時刻Ｔ１（ｎ）から時刻差Δｔ（ｎ）遅らせて、垂直走査回路１０２は第１の転送信号φＴＸｄ（ｎ）をＨレベルとする。そして、露光開始時刻Ｔ２（ｎ）において、垂直走査回路１０２は第１の転送信号φＴＸｕ（ｎ）をＨレベルからＬレベルとして、ＰＤ１１ｄの露光を開始する。この際には、リセット信号φＲＥＳ（ｎ）をＨレベルとされる。
【００４８】
ここで、時間ｔ（ｎ）とｎ行目の単位画素１の露光時間との関係について説明する。
【００４９】
時刻Ｔ３（ｎ）から時刻Ｔ４（ｎ）までの時間Δｓ（ｎ）は、Δｓ（ｎ）＝Ｌｇ（ｎ）／ｖ（ｎ）となる。よって、ＰＤ１１ｕおよびＰＤ１１ｄの感度が等しい場合には、ｎ行目の単位画素１の露光時間は、ｔ（ｎ）、Δｔ（ｎ）、およびΔｓ（ｎ）を用いて、ｔ（ｎ）＋（Δｓ（ｎ）−Δｔ（ｎ））／２となる。
【００５０】
Δｔ（ｎ）＝Ｌｕ（ｎ）／ｖ（ｎ）、Δｓ（ｎ）＝Ｌｇ（ｎ）／ｖ（ｎ）であって、メカニカルシャッタ２００の平均幕速ｖ（ｎ）が行毎に異なるので、時間ｔ（ｎ）を、行毎に調整して走査方向に対する単位画素１の露光時間を揃える。よって、（ｎ＋１）行目の単位画素１における露光は、Δｔ（ｎ＋１）およびΔｓ（ｎ＋１）を考慮して、ｎ行目の単位画素１の露光時間と揃うように時間ｔ（ｎ＋１）を決定する。そして、メカニカルシャッタ２００の遮光時刻よりも時間ｔ（ｎ＋１）早くなるように、ＰＤ１１ｕの露光を開始する。以降の行における露光についても同様にして電子先幕シャッタの走査が行われる。
【００５１】
なお、ＰＤ１１ｕおよびＰＤ１１ｄの露光時間が等しくなるように、時刻差Δｔ（ｎ）を決定した場合、Δｔ（ｎ）はΔｓ（ｎ）と等しくなるので、単位画素１の露光時間はｔ（ｎ）となる。この場合、時間ｔ（ｎ）として、ｎ（つまり、行）に拘わらず同一の時間を用いれば、走査方向に対して単位画素１の露光時間を揃えることができる。
【００５２】
このようにして、後幕のメカニカルシャッタの動作方向に対して瞳分割された画素を用いて、時間差をおいてＰＤの露光を開始させる。これによって、電子先幕シャッタを用いた際、ボケ像のケラれによる画質劣化を抑制して高速シャッタ動作を行うことができる。
【００５３】
なお、上述の実施形態では瞳を２分割した画素について説明したが、瞳分割は３分割以上であってもよい。また、電子先幕シャッタによるボケ像のケラれは、シャッタ速度が高速になる程、撮影レンズの絞り値が小さい程、そして、後幕のメカニカルシャッタが遅い程顕著になる。従って、これらの要素に応じて時刻差Δｔ（ｎ）を変更するようにしてもよい。
【００５４】
例えば、低速シャッタ秒時の際には、ＰＤ１１ｕおよびＰＤ１１ｄについて露光開始の時刻差を設けない。つまり、シャッタ秒時が所定の時間以上である場合には、時刻差Δｔ（ｎ）＝０として露光を開始する。そして、高速シャッタ秒時と低速シャッタ秒時とによって時間差Δｔ（ｎ）を切り替えるようにしてもよい。これによって、単位画素１を露光する際の複雑さを抑制することができる。
【００５５】
さらには、後幕のメカニカルシャッタの平均幕速ｖ（ｎ）が行毎に異なる点に着目して、幕速が速い行（つまり、所定の速度以上の行）については時刻差Δｔ（ｎ）＝０とする。そして、幕速の遅い行と速い行とにおいて時刻差Δｔ（ｎ）を切り替えるようにしてもよい。
【００５６】
以上のように、本発明の実施の形態では、電子先幕シャッタを用いた場合において、高速シャッタ動作の際にもボケ像のケラれによる画質劣化を低減することができる。
【００５７】
以上、本発明について実施の形態に基づいて説明したが、本発明は、これらの実施の形態に限定されるものではなく、この発明の要旨を逸脱しない範囲の様々な形態も本発明に含まれる。
【００５８】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００５９】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００６０】
１１ｄ，１１ｕ  フォトダイオード（ＰＤ）
１２ｄ，１２ｕ  転送スイッチ
１３  フローティングディフュージョン（ＦＤ）
１４  リセットスイッチ
１５  行選択スイッチ
１６  増幅トランジスタ
１７  マイクロレンズ（ＭＬ）
２１  垂直出力線
１０２  垂直走査回路
１０３  列読み出し回路
【図１】
2018121196.tif 000003
【図２】
2018121196.tif 000004
【図３】
2018121196.tif 000005
【図４】
2018121196.tif 000006